(57)【特許請求の範囲】
【請求項１】
店舗で配布されたチケットのコードに含まれる接続先情報とユーザ文字列とを用いて携帯端末をサーバに接続し、サーバに構築された店舗サイトを携帯端末に表示させ、抽選による特典を与えることによって販促を行うようにした携帯販促システムであって、
上記サーバ（１０）が、店舗に割り当てるべきユーザ文字列を関数ｙ＝ｆ（ｘ）と店舗に関連するパラメータｘのうちの１つとを用いて作成する文字列作成手段（１０４）；上記ユーザ文字列の情報と店舗サイトの接続先情報とを含むコードを作成するコード作成手段（１０２）；印刷機器（４０）を制御してチケットに上記コードを印刷させる印刷制御手段（１０３）；携帯端末（２０）から接続要求があったときに該携帯端末（２０）から送信されてきたユーザ文字列とその作成に使用した関数ｙ＝ｆ（ｘ）とパラメータｘとを用いてユーザ文字列が真正か否か及び店舗に割り当てたユーザ文字列であるか否かを判断し、ユーザ文字列が上記文字列作成手段（１０４）によって作成された真正なユーザ文字列で、かつ上記店舗に割り当てたユーザ文字列であるときに上記携帯端末（２０）の接続を許可する接続許可手段（１０５）；上記携帯端末（２０）から抽選の要求があったときに上記ユーザ文字列を用いて抽選を行う抽選手段（１０７）としての機能を備える一方、
上記携帯端末（２０）が、カメラ機能によって上記チケットのコードを読み取って店舗サイトの接続先情報とユーザ文字列を入力する入力手段（２００）；上記入力した接続先情報を用いて上記サーバ（１０）に上記店舗サイトへの接続を要求するとともに、上記入力したユーザ文字列を上記サーバ（１０）に送信する通信手段（２０１）；上記サーバ（１０）の店舗サイトへの接続を許可されたときに上記サーバ（１０）に抽選を要求する抽選要求手段（２０４）としての機能を備えたことを特徴とする携帯販促システム。
【請求項２】
上記サーバ（１０）が、構築されたサイトの店舗に複数のユーザ文字列を割り当てる割当処理手段（１０１）；携帯端末（２０）との間で信号を送受し、上記携帯端末（２０）の接続があったときに該携帯端末（２０）に店舗サイトの情報を送信する通信手段（１０６）としての機能を更に備え、
上記携帯端末（２０）が、上記サーバ（１０）から送信されてきた店舗サイトの情報を用いて上記店舗サイトのホームページを表示する表示手段（２０３）としての機能を更に備え、上記携帯端末（２０）の抽選要求手段（２０４）が、上記表示されたホームページを用いて上記サーバ（１０）に抽選を要求するようになっている請求項１記載の携帯販促システム。
【請求項３】
上記サーバ（１０）が、携帯端末（２０）の接続があったときにユーザ文字列に対応してユーザページを作成するユーザページ作成手段（１０８）としての機能を更に備える一方、
上記携帯端末（２０）が、上記サーバ（１０）にユーザページの表示を要求するユーザページ要求手段（２０５）として機能を更に備え、上記携帯端末（２０）の表示手段（２０３）が、送信されてきたユーザページ情報を用いてユーザページを表示する機能を有する請求項１記載の携帯販促システム。
【請求項４】
携帯端末をサーバの店舗サイトに接続するとともに、携帯端末からユーザ文字列をサーバに送信し、携帯端末からサーバに抽選の要求があったときに抽選による特典を与えることによって販促を行うようにした携帯販促システム用サーバであって、
店舗に割り当てるべきユーザ文字列を関数ｙ＝ｆ（ｘ）と店舗に関連するパラメータｘのうちの１つとを用いて作成する文字列作成手段（１０４）；上記ユーザ文字列の情報と店舗サイトの接続先情報とを含むコードを作成するコード作成手段（１０２）；印刷機器（４０）を制御してチケットに上記コードを印刷させる印刷制御手段（１０３）；携帯端末（２０）から接続要求があったときに該携帯端末（２０）から送信されてきたユーザ文字列とその作成に使用した関数ｙ＝ｆ（ｘ）とパラメータｘとを用いてユーザ文字列が真正か否か及び店舗に割り当てたユーザ文字列であるか否かを判断し、ユーザ文字列が上記文字列作成手段（１０４）によって作成された真正なユーザ文字列で、かつ上記店舗に割り当てたユーザ文字列であるときに上記携帯端末（２０）の接続を許可する接続許可手段（１０５）；上記携帯端末（２０）から抽選の要求があったときに上記ユーザ文字列を用いて抽選を行う抽選手段（１０７）としての機能を備えることを特徴とする携帯販促システム用サーバ。
【請求項５】
構築されたサイトの店舗に複数のユーザ文字列を割り当てる割当処理手段（１０１）；携帯端末（２０）との間で信号を送受し、上記携帯端末（２０）の接続があったときに該携帯端末（２０）に店舗サイトの情報を送信する通信手段（１０６）としての機能を更に備える請求項４記載の携帯販促システム用サーバ。
【請求項６】
携帯端末をサーバの店舗サイトに接続するとともに、携帯端末からユーザ文字列をサーバに送信し、携帯端末からサーバに抽選の要求があったときに抽選による特典を与えることによって販促を行う携帯販促システムにおけるサーバ用プログラムであって、
上記サーバ（１０）を、店舗に割り当てるべきユーザ文字列を関数ｙ＝ｆ（ｘ）と店舗に関連するパラメータｘのうちの１つとを用いて作成する文字列作成手段（１０４）；上記ユーザ文字列の情報と店舗サイトの接続先情報とを含むコードを作成するコード作成手段（１０２）；印刷機器（４０）を制御してチケットに上記コードを印刷させる印刷制御手段（１０３）；携帯端末（２０）から接続要求があったときに該携帯端末（２０）から送信されてきたユーザ文字列とその作成に使用した関数ｙ＝ｆ（ｘ）とパラメータｘとを用いてユーザ文字列が真正か否か及び店舗に割り当てたユーザ文字列であるか否かを判断し、ユーザ文字列が上記文字列作成手段（１０４）によって作成された真正なユーザ文字列で、かつ上記店舗に割り当てたユーザ文字列であるときに上記携帯端末（２０）の接続を許可する接続許可手段（１０５）；上記携帯端末（２０）から抽選の要求があったときに上記ユーザ文字列を用いて抽選を行う抽選手段（１０７）として機能させるようにしたことを特徴とする携帯販促システムにおけるサーバ用プログラム。
【発明の詳細な説明】
【技術分野】
【０００１】
本発明は携帯販促システム、携帯販促システム用サーバ及び携帯販促システムのためのサーバ用プログラムに関し、特に携帯端末を利用して顧客の関心を確実に引きつけて商品（サービスを含む）の販売促進（販促）を図れるようにしたシステムに関する。
【背景技術】
【０００２】
多種多様な商品やサービスが提供される今日において、販売促進をはかる上で、顧客に店舗を如何に覚えてもらうか、顧客を如何に定着させるかが重要であることから、顧客の関心を惹起するシステムが種々提案されている。
【０００３】
例えば、ｗｅｂサイトのＵＲＬから二次元コードを作成し、コンビニエンスストアなどの複写機を利用して複写を行ったときにコピー用紙の余白に二次元コードをプリントアウトし、ユーザが携帯端末のカメラ機能によって二次元コードを読み取り、ｗｅｂサイトにアクセスすると、ｗｅｂサイトからポイントなどの店舗の特典を携帯端末にダウンロードすることができ、ユーザは携帯端末を提示することによって店舗でポイントを利用できるようにしたシステムが提案されている（特許文献１）。
【０００４】
また、ｗｅｂサイトに新製品キャンペーンやイベント情報を含む店舗の広告を表示し、ユーザが携帯端末を使ってｗｅｂサイトにアクセスして新製品キャンペーンやイベント情報などの広告を閲覧するとともに、アンケートに応募してきたときに、クーポン付きの抽選くじをユーザの携帯端末にメールによって発行し、ユーザが店舗でクーポンを利用できるとともに、抽選による景品を受け取れるようにしたシステムが提案されている（特許文献２）。
【先行技術文献】
【特許文献】
【０００５】
【特許文献１】特開２００７−１８３７５１号公報
【特許文献２】特開２００３−１６２６１５号公報
【発明の概要】
【発明が解決しようとする課題】
【０００６】
しかし、特許文献１、２記載のシステムではユーザが実際の店舗を知らないままにｗｅｂサイトにアクセスする必要があるので、店舗に興味を引きつけられる以前に、ｗｅｂサイトに関心さえも示さず、アクセスしないことが多かった。
【０００７】
本発明はかかる問題点に鑑み、店舗に対する顧客の関心を携帯端末を利用して確実に引きつけることができるようにした携帯販促システムを提供することを課題とする。
【課題を解決するための手段】
【０００８】
そこで、本発明に係る携帯販促システムは、店舗で配布されたチケットのコードに含まれる接続先情報とユーザ文字列とを用いて携帯端末をサーバに接続してきたときに、コードを作成したときの関数を用いて真正なユーザか否か及び店舗に割り当てたコードが否かを判定して接続を許可し、サーバに構築された店舗サイトを携帯端末に表示させ、抽選による特典を与えることによって販促を行うようにしたことを特徴とする。
【０００９】
より具体的には、本発明に係る携帯販促システムは、サーバが、店舗に割り当てるべきユーザ文字列を作成する文字列作成手段；上記ユーザ文字列の情報と店舗サイトの接続先情報とを含むコードを作成するコード作成手段；印刷機器を制御してチケットに上記コードを印刷させる印刷制御手段；携帯端末から接続要求があったときに該携帯端末から送信されてきたユーザ文字列が上記文字列作成手段によって作成された真正なユーザ文字列で、かつ上記店舗に割り当てたユーザ文字列であるときに上記携帯端末の接続を許可する接続許可手段；上記携帯端末から抽選の要求があったときに上記ユーザ文字列を用いて抽選を行う抽選手段としての機能を備える一方、携帯端末が、カメラ機能によって上記チケットのコードを読み取って店舗サイトの接続先情報とユーザ文字列を入力する入力手段；上記入力した接続先情報を用いて上記サーバに上記店舗サイトへの接続を要求するとともに、上記入力したユーザ文字列を上記サーバに送信する通信手段；上記サーバの店舗サイトへの接続を許可されたときに上記サーバに抽選を要求する抽選要求手段としての機能を備えたことを特徴とする。
【００１０】
本発明の特徴の１つは、店舗にユーザ文字列を割り当て、該ユーザ文字列と店舗サイトの接続先情報（ＵＲＬ）とを含むコードを作成してチケットに印刷し、チケットを店舗で顧客（ユーザ）に配布し、顧客がチケットの二次元コードを携帯端末、例えば携帯電話のカメラ機能で読み取り、店舗サイトへの接続要求があったときにユーザ文字列を用いて真正か否か及び店舗に割り当てたユーザ文字列か否かを判断し、携帯端末からの要求があったときに抽選を行って特典を付与するようにした点にある。
【００１１】
店舗を訪れた顧客が店舗で配布されたチケットを用いて店舗のサイトを閲覧するのであるから、顧客は店舗への何らかの興味をもって店舗サイトにアクセスし、しかも抽選の特典を受けることができるので、顧客の関心を確実に引きつけ、顧客に店舗を確実に覚えてもらい、定着できることが期待される。
【００１２】
本発明の第２の特徴は、チケットのコードに含まれるユーザ文字列が真正か否か及び店舗に割り当てたユーザ文字列か否かを判断し、携帯端末のサーバへの接続を許可するようにした点にある。
【００１３】
これにより、実際に店舗に訪れた顧客のみが店舗サイトにアクセスでき、不特定多数の者によって店舗サイトにむやみにアクセスされることがないので、有害なアクセス、例えばデータの改竄や顧客の個人データの盗難を未然に防止できる。
【００１４】
本発明の第３の特徴は、ユーザ文字列と店舗サイトの接続先情報とを含むコードを作成してチケットに印刷するようにした点にある。コードはチケット１枚ごとに異なり、偽造が難しく、権利のない者がユーザ文字列を改竄して抽選を受けるのを阻止できる。
【００１５】
ここで、ユーザ文字列の真正か否か及び店舗に割り当てたユーザ文字列か否かは次のような方法で判断することができる。
【００１６】
例えば、適切な関数ｙ＝ｆ（ｘ）と、店舗に関連する複数の各パラメータｘとを用いて複数のユーザ文字列を作成し、携帯端末から送信されてきたユーザ文字列が上記の関数とパラメータｘとを用いて作成したものか否かを判定し、真正か否かかつ店舗に割り当てたユーザ文字列か否かを判断するようにしてもよく、あるいは店舗に関連するパラメータ以外の他のパラメータｘを用いてユーザ文字列を作成して店舗に割り当て、このユーザ文字列から真正か否かを判定した後、店舗に割り当てたユーザ文字列か否かを判断するようにしてもよい。
【００１７】
また、顧客が店舗サイトにアクセスしてきたときに、店舗サイト内に顧客のページ（ユーザページやマイページ）を作成するようにすると、顧客の興味を店舗サイトに更に引きつけることができる。
【００１８】
そこで、サーバを、携帯端末の接続があったときにユーザ文字列に対応してユーザページを作成するユーザページ作成手段として機能させるとともに、サーバのサイト情報送信手段に、携帯端末からの要求があったときに携帯端末にユーザページ情報を送信させる機能を設ける一方、携帯端末を、サーバにユーザページの表示を要求するユーザページ要求手段として機能させるとともに、携帯端末の表示手段に、送信されてきたユーザページ情報を用いてユーザページを表示する機能を設けるのがよい。
【００１９】
また、上述の携帯販促システム用サーバも斬新である。即ち、本発明によれば、携帯端末をサーバの店舗サイトに接続するとともに、携帯端末からユーザ文字列をサーバに送信し、携帯端末からサーバに抽選の要求があったときに抽選による特典を与えることによって販促を行うようにした携帯販促システム用サーバであって、店舗に割り当てるべきユーザ文字列を作成する文字列作成手段；上記ユーザ文字列の情報と店舗サイトの接続先情報とを含むコードを作成するコード作成手段；印刷機器を制御してチケットに上記コードを印刷させる印刷制御手段；携帯端末から接続要求があったときに該携帯端末から送信されてきたユーザ文字列が上記文字列作成手段によって作成された真正なユーザ文字列で、かつ上記店舗に割り当てたユーザ文字列であるときに上記携帯端末の接続を許可する接続許可手段；上記携帯端末から抽選の要求があったときに上記ユーザ文字列を用いて抽選を行う抽選手段としての機能を備えることを特徴とする携帯販促システム用サーバを提供することができる。
【００２０】
また、上述の携帯端末の機能は携帯端末、例えば携帯電話に搭載されているアプリケーションソフトによって実行することができるが、上述のサーバを動作させるプログラムは斬新である。即ち、本発明によれば、携帯端末をサーバの店舗サイトに接続するとともに、携帯端末からユーザ文字列をサーバに送信し、携帯端末からサーバに抽選の要求があったときに抽選による特典を与えることによって販促を行う携帯販促システムにおけるサーバ用プログラムであって、上記サーバを、店舗に割り当てるべきユーザ文字列を作成する文字列作成手段；上記ユーザ文字列の情報と店舗サイトの接続先情報とを含むコードを作成するコード作成手段；印刷機器を制御してチケットに上記コードを印刷させる印刷制御手段；携帯端末から接続要求があったときに該携帯端末から送信されてきたユーザ文字列が上記文字列作成手段によって作成された真正なユーザ文字列で、かつ上記店舗に割り当てたユーザ文字列であるときに上記携帯端末の接続を許可する接続許可手段；上記携帯端末から抽選の要求があったときに上記ユーザ文字列を用いて抽選を行う抽選手段として機能させるようにしたことを特徴とする携帯販促システムにおけるサーバ用プログラムを提供することができる。
【００２１】
また、本発明によれば、サーバに、前述の処理に加え、携帯端末の接続があったときにユーザ文字列に対応してユーザページを作成するユーザページ作成手段として更に機能させるとともに、上記サーバのサイト情報送信手段が携帯端末からの要求があったときに携帯端末にユーザページ情報を送信させる機能を更に有する携帯販促システムのためのサーバ用プログラムを提供することもできる。
【図面の簡単な説明】
【００２２】
【図１】本発明に係る販促システムの好ましい実施形態におけるシステムの１例を示す全体構成図である。
【図２】上記実施形態を示す機能ブロック図である。
【図３】上記実施形態のサーバ及び形態端末における処理フローの１例を示す図である。
【図４】上記実施形態におけるチケットの１例を示す図である。
【図５】初期情報入力画面の１例を示す図である。
【図６】店舗サイトのホームページの１例を示す図である。
【図７】ユーザページ（マイページ）の１例を示す図である。
【図８】抽選画面の１例を示す図である。
【発明を実施するための形態】
【００２３】
以下、本発明を図面に示す具体例に基づいて詳細に説明する。図１ないし図８は本発明に係る携帯販促システムの好ましい実施形態を示す。図において、本例のシステムはサーバ１０、携帯端末２０及びサーバ１０と携帯端末２０との間を接続する通信回線網３０から構成されている。
【００２４】
サーバ１０はＣＰＵ等の演算処理装置、ハードディスクやメモリなどの記憶装置、ＷＡＮアダプタ、ルータ、モデムなどの通信装置及びこれらの間を接続するバスや信号線によって構成されている。
【００２５】
サーバ１０は、機能的には、サイト情報記憶手段１００、割当処理手段１０１、コード作成手段１０２、印刷制御手段１０３、文字列作成手段１０４、接続許可手段１０５、通信手段１０６、抽選手段１０７、ユーザページ作成手段１０８及びユーザページ情報記憶手段１０９から構成されている。
【００２６】
サイト情報記憶手段１００は、演算処理装置と記憶装置によって実現される機能手段であって、サーバ１０内に構築された店舗サイトの情報、例えばＵＲＬ（接続先情報）やホームページの情報、当該店舗の取り扱う品揃えの情報、顧客のユーザページや抽選ページのリンク情報などが記憶されている。
【００２７】
割当処理手段１０１は、演算処理装置によって実現される機能手段であって、サーバ１０内に構築された店舗サイトの店舗に、使用を許可するユーザ文字列を割り当てるようになっている。
【００２８】
コード作成手段１０２は、演算処理装置によって実現される機能手段であって、店舗サイトが構築された当該店舗に割り当てられたユーザ文字列の群から選択されたユーザ文字列、店舗の接続先情報及び基本情報入力画面の情報を含む二次元コードを作成するようになっている。なお、コードは二次元コード以外のものであってもよい。
【００２９】
印刷制御手段１０３は、演算処理装置によって実現される機能手段であって、作成された二次元コード及びユーザ文字列を印刷機器４０に出力してチケット５０に印刷するようになっている。なお、正しいユーザ文字列は二次元コードによって把握されるのであるから、チケット５０の改竄やチケット５０に印刷されたユーザ文字列の不正使用を防止するため、チケット５０に印刷されるユーザ文字列は適切な関数を用いて正しいユーザ文字列を変換した擬似文字列を印刷するようにしてもい。
【００３０】
文字列作成手段１０４は、演算処理装置と記憶装置によって実現される機能手段であって、適切な関数ｙ＝ｆ（ｘ）と、店舗に関連するパラメータｘとを用いてユーザ文字列を作成する一方、携帯端末２０から送信されてきたユーザ文字列が上記作成した文字列か否か、つまり真正な文字列か否か、及び店舗に割り当てたユーザ文字列か否かを判定するようになっている。
【００３１】
接続許可記憶手段１０５は、演算処理装置によって実現される機能手段であって、携帯端末２０から店舗サイトへの接続要求があったときに該携帯端末２０から送信されてきたユーザ文字列が真正でかつ店舗に割り当てたユーザ文字列であるときに携帯端末２０の接続を許可するようになっている。
【００３２】
通信手段１０６は、演算処理装置及び通信装置によって実現される機能手段であって、携帯端末２０との間で信号を送受し、携帯端末２０の接続があったときに、携帯端末２０にサイト情報記憶手段１００内の店舗サイトの情報を送信するとともに、携帯端末２０から要求があったときに、ユーザページ情報を送信するようになっている。
【００３３】
抽選手段１０７は、演算処理装置によって実現される機能手段であって、携帯端末２０から抽選の要求があったときに、携帯端末２０から送信されたユーザ文字列を用いて抽選を行うようになっている。
【００３４】
ユーザページ作成手段１０８は、演算処理装置によって実現される機能手段であって、携帯端末２０から最初の接続があったときに、顧客の基本情報を用いて当該携帯端末２０についてのユーザページを作成するようになっている。
【００３５】
ユーザページ情報記憶手段１０９は、演算処理装置と記憶装置によって実現される機能手段であって、作成されたユーザページの情報を記憶するようになっている。
【００３６】
これらの機能手段１００〜１０９の機能を実行させるサーバ用プログラムは、記憶手段内に格納され、起動時に又は随時読み出されて実行されるようになっている。
【００３７】
携帯端末２０は例えばカメラ機能付きの携帯電話が採用され、ＣＰＵ等の演算処理装置、  液晶ディスプレイなどの表示装置、ハードディスクやメモリなどの記憶装置、ＶｏＩＰアダプタなどの通信装置及びこれらの間を接続するバスや信号線によって構成され、搭載されあるいはダウンロードされた各種のアプリケーションソフトを実行するようになっている。
【００３８】
携帯端末２０は、機能的には入力手段２００、通信手段２０１、ユーザ情報記憶手段２０２、表示手段２０３、抽選要求手段１０４及びユーザページ要求手段１０５から構成されている。
【００３９】
入力手段２００は演算処理装置によって実現される機能手段であって、店舗で配布されたチケット５０の二次元コードを、携帯端末２０に搭載されているバーコードリーダのプログラムソフトを動作させることにより、カメラ機能によって読み取ってユーザ文字列、店舗の接続先情報及び基本情報入力画面の情報を携帯端末２０に入力するようになっている。
【００４０】
通信手段２０１は、演算処理装置及び通信装置によって実現される機能手段であって、入力した接続先情報を用いてサーバ１０の店舗サイトに接続するとともに、サーバ１０との間で信号を送受し、特に入力したユーザ文字列をサーバ１０に送信するようになっている。
【００４１】
ユーザ情報記憶手段２０２は、演算処理装置及び通信装置によって実現される機能手段であって、チケット５０を読み取ることによって入力された接続先情報及びユーザ文字列を記憶するようになっている。
【００４２】
表示手段２０３は、演算処理装置及び表示装置によって実現される機能手段であって、サーバ１０から送信されてきた店舗サイトのホームページ７０、ユーザページ８０及び抽選ページ９０を表示するようになっている。
【００４３】
抽選要求手段２０４は、演算処理装置、表示装置及び通信装置によって実現される機能手段であって、店舗サイトのホームページ７０上の「抽選」ボタンをテンキー操作などによって選択することによってサーバ１０に抽選の要求を送信するようになっている。
【００４４】
ユーザページ要求手段２０５は、演算処理装置、表示装置及び通信装置によって実現される機能手段であって、店舗サイトのホームページ上の「設定」ボタンをテンキー操作などによって選択することによってサーバ１０にユーザページの要求を送信するようになっている。
【００４５】
これらの機能手段２００〜２０５は携帯端末２０に搭載されているアプリケーションプログラムやサーバ１０から随時ダウンロードされるプログラムによって実行されるようになっている。
【００４６】
次に、図３ないし図８を用いて動作について説明する。店舗の経営者などがサーバ１０の運営者に店舗サイトの構築を依頼し、店舗サイトが構築されると、サーバ１０内のサイト情報記憶手段１００内に店舗サイトの各種情報が記憶される。
【００４７】
次に、サーバ１０ではサイトを構築した店舗について、店舗に関連するパラメータ、例えば店舗を特定する複数のパラメータｘのうちの１つと関数ｙ＝ｆ（ｘ）とを用いて例えば１２桁のユーザ文字列が作成され（ステップＳ１１０）、その店舗にユーザ文字列が割当処理され（ステップＳ１００）、割り当てられたユーザ文字列の情報、店舗サイトの接続先情報及び基本情報入力画面の情報を含む二次元コードが作成され（ステップＳ１０１）、二次元コード及びユーザ文字列は印刷機器４０に出力され、チケット５０に印刷される（ステップＳ１０２）。チケット５０の１例を図４に示す。
【００４８】
他方、印刷されたチケット５０は店舗で顧客に配布され、チケット５０を受け取った顧客は携帯端末２０のバーコードリーダーのプログラムを立ち上がらせ、携帯端末２０のカメラ機能によってチケット５０の二次元コードを読み取ると（ステップＳ２００）、携帯端末２０にはユーザ文字列、店舗サイトの接続先情報、基本情報入力画面の情報が入力される。
【００４９】
入力された情報のうち、基本情報入力画面６０（図５参照）は携帯端末２０の表示手段２０３に表示され、チケット５０を用いた店舗サイトへのアクセスが初回の場合には顧客はニックネーム、性別、誕生日を入力することができ（ステップＳ２０１、Ｓ２０２）、入力された基本情報は記憶装置に格納されるので、店舗サイトへの次回のアクセス時には基本情報入力画面６０には顧客のニックネーム、性別、誕生日が自動的に入力される。
【００５０】
顧客が基本情報入力画面６０において「進む」ボタンをテンキー操作などによって選択すると、通信手段２０１からサーバ１０に店舗サイトへの接続要求が送信され（ステップＳ２０３）、サーバ１０では通信手段１０６でそれを受ける。この接続要求には顧客のニックネーム、性別、誕生日などの基本情報の他、ユーザ文字列の情報が含まれており、接続許可手段１０５で送信されてきたユーザ文字列が文字列作成手段１０で作成されたユーザ文字列か否か、つまり真正なユーザ文字列か否か、及び当該店舗に割り当てられたユーザ文字列か否かが判定され（ステップＳ１０３）、真正でない場合、真正であっても当該店舗に割り当てたユーザ文字列でない場合には携帯端末２０の接続が拒否され、送信されてきたユーザ文字列が真正でかつ当該店舗に割り当てたユーザ文字列である場合には携帯端末２０の接続が許可される。
【００５１】
接続が許可されると、サーバ１０では接続許可された携帯端末２０のアクセスが初回か否かが判定され、初回の場合には顧客のニックネーム、性別、誕生日などの基本情報を用いてユーザページが作成されてユーザページ情報記憶手段１０９に格納される（ステップＳ１０４、Ｓ１０５）。
【００５２】
次に、サーバ１０ではサイトデータ記憶手段１００から店舗サイトの情報が読み出されて通信手段１０６によって携帯端末２０に送信され（ステップＳ１０６）、携帯端末２０では表示手段２０３に例えば図６参照に示される店舗サイトのホームページ７０が表示される（ステップＳ２０４）。
【００５３】
店舗サイトのホームページ７０には「モバイル抽選」ボタン、メール着信通知ボックス、インフォメーションボックスが設けられ、メール着信通知ボックスには新着メールの有無、「設定」「友達に教える」のボタンがレイアウトされている。
【００５４】
今、顧客が携帯端末２０のテンキー操作などによって「設定」ボタンを選択すると、携帯端末２０ではユーザページ要求手段２０５が通信手段２０１からサーバ１０にユーザページの送信を要求し（ステップＳ２０５、Ｓ２０６）、サーバ１０ではユーザページ情報記憶手段１０９からユーザページ情報が読み出されて通信手段１０６から携帯端末２０に送信される（ステップＳ１０６）。
【００５５】
携帯端末２０では送信されてきたユーザページ情報が通信手段２０１で受信され、表示手段２０３には例えば図７に示されるユーザページ８０が表示され、顧客のアクセス回数、抽選回数、メールアドレスなどの情報が示される（ステップＳ２０７）。このユーザページの情報はユーザページ８０において変更することができる。
【００５６】
また、店舗サイトの情報には抽選画面の情報がリンクされて携帯端末２０で受信されており、店舗サイトのホームページ７０において、「モバイル抽選」のボタンが選択されると、図８に示される抽選画面が表示手段２０３に表示される。
【００５７】
この抽選画面９０には、抽選の特賞、例えば「グアム旅行」「松阪牛すき焼用」「十勝レアチーズケーキセット」と抽選に当選した場合の引渡方法が表示されるとともに、抽選ナンバーの入力欄が設けられている。
【００５８】
抽選ナンバーの入力欄には携帯端末２０から送信されてきたユーザ文字列が自動的に入力されるので、顧客が「抽選」ボタンを選択すると、携帯端末２０の抽選要求手段２０が通信手段２０１からサーバ２０に抽選要求を送信し（ステップＳ２０８、Ｓ２０９）、サーバ１０では抽選要求を通信手段１０６で受け、抽選手段１０７で抽選ナンバーであるユーザ文字列を用いて抽選を行い（ステップＳ１０８）、当選した顧客には引渡方法にしたがって商品が例えば郵送によって引き渡され、特典を受けることができる。
【００５９】
また、抽選ナンバーの入力欄を手入力するのではないので、例えばチケット５０が改竄されている場合にもユーザ文字列が不正に使用されることはない。
【００６０】
なお、上記の例では携帯端末から送信されてきたユーザ文字列を、作成手順にしたがって真正なユーザ文字列か否か、店舗に割り当てたユーザ文字列か否かを判定するようにしたが、作成しかつ店舗に割り当てたユーザ文字列を記憶装置に記憶しておき、送信されてきたユーザ文字列と記憶されたユーザ文字列との比較から、真正か否か、店舗に割り当てたユーザ文字列か否かを判定するようにしてもよい。
【符号の説明】
【００６１】
１０      サーバ
２０      携帯端末
３０      通信回線網
４０      印刷機器
５０      チケット
１００    サイト情報記憶手段
１０１    割当処理手段
１０２    二次元コード作成手段
１０３    印刷制御手段
１０４    店舗情報記憶手段
１０５    接続許可手段
１０６    通信手段
１０７    抽選手段
１０８    ユーザページ作成手段
１０９    ユーザページ情報記憶手段
２００    入力手段
２０１    通信手段
２０２    ユーザ情報記憶手段
２０３    表示手段
２０４    抽選要求手段
２０５    ユーザページ要求手段
【図１】
0005662358.tif 000002
【図２】
0005662358.tif 000003
【図３】
0005662358.tif 000004
【図４】
0005662358.tif 000005
【図５】
0005662358.tif 000006
【図６】
0005662358.tif 000007
【図７】
0005662358.tif 000008
【図８】
0005662358.tif 000009